(57)【要約】【課題】絡みやすいシュレッダによる裁断故紙を成形に備えて一定の高さに調整することにある。【解決手段】走行自在なコンベア１４上であって、コンベア１４の上流にコンベア１４に回転自在な干渉手段１８がコンベア１４の幅方向に設けられてなるもの。【選択図】      図１
2004174734.tif 000002
【特許請求の範囲】
【請求項１】
成形原料を一定の高さに均すに先立って、成形原料を舞い上げることにより成形原料の絡みをほぐし、次いで落下し、ほぐされた該成形原料を一定の高さに均すことを特徴とする成形原料の均し方法。
【請求項２】
成形原料を一定の高さに均すに先立って、成形原料を舞い上げることにより成形原料の絡みをほぐし、次いで落下し、ほぐされた該成形原料を一定の高さに均す方法において、
走行中のコンベア上に敷設され、コンベアの走行に追従して走行される被覆シート上に成形原料を供給し、被覆シート上に供給された帯状の該成形原料の両側を積極的に開放することにより、被覆シートの両側から成形原料の一部を積極的に脱落させることにより行う成形原料の均し方法。
【請求項３】
走行自在なコンベア上であって、該コンベアの上流に回転自在な干渉手段が該コンベアの幅方向に設けられ、
該コンベアの下流に該干渉手段から一定の間隔を隔てて成形原料の均し手段が該コンベアの幅方向に設けられてなることを特徴とする成形原料の均し装置。
【請求項４】
該干渉手段が硬質の板状体であることを特徴とする請求項３記載の成形原料の均し装置。
【請求項５】
該干渉手段が硬質の熊手状体であることを特徴とする請求項３記載の成形原料の均し装置。
【請求項６】
該干渉手段が硬質の網状体であることを特徴とする請求項３記載の成形原料の均し装置。
【請求項７】
成形原料の均し手段が回転自在な回転ブラシであることを特徴とする請求項３記載の成形原料の均し装置。
【請求項８】
成形原料の均し手段が固定された規制部材であることを特徴とする請求項３記載の成形原料の均し装置。
【請求項９】
成形原料の均し手段が揺動自在な規制部材であることを特徴とする請求項３記載の成形原料の均し装置。
【請求項１０】
成形原料の均し手段に上下方向の間隔制御機構が備えられたものであることを特徴とする請求項３、４、５、６、７、８又は９記載の成形原料の均し装置。
【請求項１１】
該干渉手段と成形原料の均し手段との間に補助均し手段が該コンベアの幅方向に設けられてなることを特徴とする請求項３、４、５、６、７、８、９又は１０記載の成形原料の均し装置。
【発明の詳細な説明】
【０００１】
【発明が属する技術分野】
この発明は、必ずしも廃棄物に制約する趣旨ではないものの、主として紙、糸くずなどの産業廃棄物および一般廃棄物を問わず廃棄物を成形材料として採用する場合において、絡み易い成形材料の前処理に関する。
とりわけ、成形材料として採用される廃棄物の裁断片を成形することにより、成形品（リユース製品、たとえば包装緩衝用ボード）を成形するに先立って廃棄物の裁断片（以下断りのない限り「成形原料」と称する）を一定の高さに均す方法と装置に関する。
【０００２】
【従来の技術】
この種の方法や装置として特許文献１に記載された発明が知られている。
この例は、パーティクルボードの製造装置に関するもので、粉砕された針状（フレーク状）の木質材料を一定の厚さに均し、加熱成形することによりパーティクルボードを製造する方法と装置である。
この例では、加熱成形するに先立って、メインコンベア５０上に敷設された樹脂シート上に、幅方向に揺動される散布ベルト５０２を介して針状（フレーク状）の木質材料を散布するとともに、散布された木質材料をならし用ブラシ５０３により均すようにした制御装置が採用されている。
そして、ならし用ブラシ５０３は散布ベルト５０２とともに３組設けられたものであった（特許文献１、図４を参照）。
【０００３】
【特許文献１】
特開２００１−９６５１６号公報
【０００４】
【発明が解決しようとする課題】
特許文献１に記載されたパーティクルボード製造用の木質材料の均し装置は、粗密があるものの、粉砕された粒径木質材料（フェイス用材料では１．７７ｍｍコア用材料では２．０３ｍｍ程度の大きさのもの）が揺動される散布ベルト５０２を介してメインコンベア５０上に散布される一方、メインコンベア５０上に散布された粒径木質材料をならし用ブラシ５０３により均すようにしたものであった。
【０００５】
この均し装置が成形原料として採用した木質材料には粗密があり、接着剤が塗布されたものであるものの、粒径木質材料が前記したように１．７７ｍｍ、２．０３ｍｍ程度のものであり、かつ、材質上非軟質のものであるから、均す前に散布ベルト５０２を揺動させ、その後、ならし用ブラシ５０３により均すことにより、粒径木質材料では絡みを考慮することなく厚さを均等にすることが期待できる。
【０００６】
これに対して、この発明が成形材料として採用するたとえば、シュレッダによる裁断故紙は知られるように薄い柔軟性に富んだ紙の細長いテープ状のものであり、短いものでは幅２ｍｍ×長さ２ｍｍ程度のものから、長いものでは素麺状に裁断された幅１０ｍｍ×長さ３００ｍｍ程度のものがあるが、シュレッダマシンの種類や機能により異なるものの、一般的には幅４ｍｍ×長さ３０ｍｍ程度のものを対象としている。
【０００７】
したがって、このようなテープ状のものを成形原料とし、かつ、成形前に接着剤が塗布されることが普通であるから、互いに絡み易く特許文献１に記載されたパーティクルボード製造用のならし装置、とりわけ、散布ベルト５０２を揺動させても材料は揺動するだけで絡みを解消することはできなかった。
また、細長い糸くず等の繊維廃棄物による成形原料を均す場合においても、前記したシュレッダによる裁断故紙と同様に絡み易い性質上、特許文献１に記載された散布ベルト５０２を揺動させても糸くずの絡みを解消することはできなかった。
【０００８】
この発明の目的は、上記の問題点を解消しようとするもので、紙、糸くずなどの裁断片による成形原料を加熱成形するのに先立って絡みをほぐし、一定の高さに均すことにある。
他の目的は、成形原料が凹凸の激しい塊として供給された場合にその塊を崩壊させ、均し易くすることにある。
さらに、他の目的は成形原料の高さを調整することにより、成形品の厚さの変更に備えることにある。
さらに、他の目的は成形原料をほぐすときおよび一定の高さに均すときに過剰な成形原料を前工程側へ戻す一方、成形品に必要な成形原料の量と厚さが不足しないようにすることにある。
さらに、他の目的は成形原料の均しを一層確実化することにある。
さらに、他の目的は、成形原料の均し時における該原料の搬送に際してコンベア上の被覆シートが損傷しないよう負荷がかからないようにすることにある。
【０００９】
【課題を解決しようとするための手段および作用効果】
請求項１記載の成形原料の均し方法の発明は、
成形原料を一定の高さに均すに先立って、成形原料を舞い上げることにより成形原料の絡みをほぐし、次いで落下し、ほぐされた該成形原料を一定の高さに均すことを特徴とするものである。
【００１０】
請求項１記載の発明は上記のように構成されているから、予め接着剤が塗布された成形原料が絡み易いものであっても、均す前に成形原料を舞い上げるから、成形原料は散乱し、絡みをほぐすことができる。
したがって、ほぐされ落下した成形原料は一定の高さに均し易いから、均された一定の高さによる成形用の成形原料を得ることができる。
【００１１】
請求項２記載の成形原料の均し方法の発明は、
成形原料を一定の高さに均すに先立って、成形原料を舞い上げることにより成形原料の絡みをほぐし、次いで落下し、ほぐされた該成形原料を一定の高さに均す方法において、走行中のコンベア上に敷設され、コンベアの走行に追従して走行される被覆シート上に成形原料を供給し、被覆シート上に供給された帯状の該成形原料の両側を積極的に開放することにより、被覆シートの両側から成形原料の一部を積極的に脱落させることにより行うことを特徴とするものでる。
【００１２】
請求項２記載の発明は上記のように構成されているから、被覆シートの両側を積極的に開放することにより、成形原料の一部が脱落するものの、該原料の均し作業中に原料の一部や該原料から生じるいわゆる紙粉が被覆シートの下方へ侵入させないようにすることができる。
この発明では、被覆シートにとりわけ、薄い柔軟紙などが採用されることが一般的であるから、被覆シートが破損し易いが、前記のとおり該原料などが侵入しないから、走行中の被覆シートに負荷が及ぶことがないので被覆シートの破損を防止できる利点を奏する。
【００１３】
請求項３記載の成形原料の均し装置の発明は、
走行自在なコンベア上であって、該コンベアの上流に回転自在な干渉手段が該コンベアの幅方向に設けられ、該コンベアの下流に該干渉手段から一定の間隔を隔てて成形原料の均し手段が該コンベアの幅方向に設けられてなることを特徴とするものである。
【００１４】
この明細書において「回転自在な干渉手段」とは、回転することにより成形原料に接触し、関わるものをいう。
【００１５】
請求項３記載の発明は上記のように構成されているから、予め接着剤が塗布された成形原料を走行中のコンベア上に供給することにより、コンベア上に供給された成形原料は絡み合った凹凸のある塊として現れ、徐々にコンベアの下流側へ移動する。
そして、干渉手段を図面上右方向換言すれば時計回り方向に回転させることにより、コンベアの下流側へ移動する成形原料は干渉手段に接触し、関わることにより、成形原料の凹凸が崩され、絡み合った成形原料を掬うようにして上流側へ舞い上げられる。
また、干渉手段は前記のように回転するから、成形原料をほぐす際に、過剰な該原料を前工程側に戻すことができる一方、該原料はコンベアの走行と回転する干渉手段の回転との制御が相俟って、成形品に必要な成形原料の量に不足を生じることなく次工程に向けて搬送することができる。
【００１６】
かくして、成形原料は舞い上げられることにより、絡みあった状態から散乱状態に変化してほぐされ、該干渉手段の後方つまりコンベアの上流側へ落下するが、コンベアが下流側へ走行しているから、落下した成形原料は回転する干渉手段によりその高さが一次的に規制されつつ、コンベアの走行作用に支配され、コンベアの下流側に設けられた成形原料の均し手段側へ搬送される。
【００１７】
該均し手段側へ搬送された成形原料は干渉手段によりその高さは一次的に規制され、ほぐされた状態にあるものの、未だ高さは低いが、凹凸は少なくなく粗く均された状態に止まる。
【００１８】
そこで、粗く均された成形原料は該均し手段側へ搬送され、該均し手段によって成形原料の高さが一定に制御されつつ均されることにより、プレス成形に備えた成形原料となる。
とりわけ、該均し手段による均し作用に先立って干渉手段により前処理を行い、絡みを予めほぐすことができるから、絡み易い成形原料を均し易い。
【００１９】
請求項４記載の成形原料の均し装置の発明は、請求項３記載の発明において、干渉手段が硬質の板状体であることを特徴とするものである。
【００２０】
請求項４記載の成形原料の均し装置の発明は、上記の構成のとおり、干渉手段が硬質の板状体であるから、請求項３記載の発明が奏する作用効果のほか、干渉手段の生産を安価にかつ、楽に生産できることのほか、成形原料が絡み易いものであるが、干渉手段が硬質の板状体であるから、確実に掬うようにして舞い上げ、散乱状態にできるから絡みを確実にほぐすことができる。
【００２１】
請求項５記載の成形原料の均し装置の発明は、請求項３記載の発明において、干渉手段が硬質の熊手状体であることを特徴とするものである。
【００２２】
請求項５記載の発明は、上記の構成であるから、請求項３記載の発明が奏する作用効果のほか、干渉手段が硬質の熊手状体であるから、成形原料がシュレッダによる裁断故紙のように、細長いものであっても脱落することなく把持できる。
【００２３】
請求項６記載の成形原料の均し装置の発明は、請求項３記載の発明において、干渉手段が硬質の網状体であることを特徴とするものである。
【００２４】
請求項６記載の発明は、上記の構成であるから、請求項３記載の発明が奏する作用効果のほか、干渉手段が硬質の網状体であるから、干渉手段の回転時にメッシュ孔から空気が通過するので、空気抵抗を減少させることができ、干渉手段の回転時の負荷を減少させることができる。
【００２５】
請求項７記載の成形原料の均し装置の発明は、請求項３記載の発明において、成形原料の均し手段が回転自在な回転ブラシであることを特徴とするものである。
【００２６】
請求項７記載の発明は、上記の構成であるから、請求項３記載の発明が奏する作用効果のほか、成形原料の均し手段が回転自在な回転ブラシであるから、回転ブラシを図面上右方向換言すれば時計回り方向に回転させることにより、成形原料を成形に備えて刷毛が成形原料に柔軟性を以て接触するから、一定の高さに制御させつつ確実に均すことができる。
その上、回転ブラシを前記のように回転させることにより、過剰な成形原料を干渉手段側へ戻すことができ、併せて該成形原料はコンベアの走行と回転ブラシの回転により制御され、成形品に必要な成形原料の量と厚さに不足を生じることなく次工程に向けて搬送することができる。
【００２７】
請求項８記載の成形原料の均し装置の発明は、請求項３記載の発明において、成形原料の均し手段が固定された規制部材であることを特徴とするものである。
【００２８】
請求項８記載の発明は、上記の構成であるから、請求項３記載の発明が奏する作用効果のほか、成形原料の均し手段が固定された規制部材であるから、成形原料の均しと高さが制御されつつ、該コンベアが走行することにより、成形原料の均しと高さを制御させつつ、成形原料を簡単な構造で次工程へ搬送できるので、該均し手段を手軽に採用できる。
【００２９】
請求項９記載の成形原料の均し装置の発明は、請求項３記載の発明において、成形原料の均し手段が揺動自在な規制部材であることを特徴とするものである。
【００３０】
請求項９記載の発明は、上記の構成であるから、請求項３記載の発明が奏する作用効果のほか、成形原料の均し手段が揺動自在な規制部材であるから、規制部材をコンベアの走行方向と逆方向に揺動させることにより、成形原料を成形に備えて一定の高さに制御しつつ手軽に均すことができる。
とりわけ、規制部材による均し手段を前工程側にのみ揺動させることにより、過剰な成形原料を次工程へ搬送することなく、一定の高さと量による均された該原料を次工程へ供給得することができる。
【００３１】
請求項１０記載の成形原料の均し装置の発明は、請求項３、４、５、６、７、８又は９記載の発明において、成形原料の均し手段に上下方向の間隔制御機構が備えられたものであることを特徴とするものである。
【００３２】
請求項１０記載の発明は、上記の構成であるから、請求項３、４、５、６、７又は８記載の発明が奏する作用効果のほか、成形原料の均し手段に上下方向の間隔制御機構が備えられているから、該均し手段の上下の間隔を調整することにより、成形原料の高低を調整できるので、成形品の肉厚の種類に対応させて成形原料を均すことができる。
【００３３】
請求項１１記載の成形原料の均し装置の発明は、請求項３、４、５、６、７、８、９又は１０記載の発明において、該干渉手段と該成形原料の均し手段との間に補助均し手段が該コンベアの幅方向に設けられてなることを特徴とするものである。
【００３４】
請求項１１記載の発明は、上記の構成であるから、請求項３、４、５、６、７、８、９又は１０記載の発明が奏する作用効果のほか、干渉手段により粗く均された成形原料を更に補助均し手段により、二次的に均した上、該成形原料の均し手段により、成形原料を成形に備えて一定の高さに制御しつつ手軽に均すことができるので、一層、均しの作用効果を期待できる。
【００３５】
【発明の実施の形態】
この発明の実施の形態に係る成形原料の均し装置の発明をその方法の発明と併せ図面を参照して説明する。
図１は、成形原料の均し装置の側面図、図２は干渉手段の他の例を示す斜視図、図３は成形原料の均し手段の他の例の要部の側面図、図４は成形原料の均し手段のさらに他の例の要部の側面図である。
【００３６】
この発明の実施の形態に係る該均し装置１０は、成形原料、たとえば、シュレッダによる裁断故紙１２（以下断りのない限り単に成形原料１２という）の加熱成形に備えて前処理を行うもので、前処理とは成形原料１２を一定の厚さに均すことである。
成形原料１２である裁断故紙は、知られるように秘密保持を目的として細かく裁断されたものであるが、その大きさはシュレッダマシンの性能などにより左右されるものの、一般的には幅４ｍｍ×長さ３０ｍｍ程度のテープ状ものとして廃棄されることが多い。
しかし、再生コストの負荷を回避するためには、廃棄処分された裁断故紙に二次加工（たとえば、粉砕処理する）を施すことなく再生できることが希望される。
しかし、そのまま活用しようとするといくつかの問題点のあることが判明した。
【００３７】
たとえば、裁断故紙を成形原料１２として活用し、一定の厚さを備えた圧搾ボードを成形する場合、成形工程に先立って成形原料１２である裁断故紙を予め一定の高さに均すことを欠くことができないが、裁断故紙は粉砕された粒径状のものと異なり、細くテープ状のものであり、また、成形品の安定性を図る目的から接着剤が塗布されるから、絡み易く一定の高さに均すのに困難性がある。
そこで、本発明者は、裁断故紙の物性に鑑み次のような機械的処理により解決したものである。
【００３８】
この装置１０の基本的構成は、コンベア１４上に上流側から下流側の成形プレス２４に向けてホッパ１６、干渉手段１８、補助均し手段２０、成形原料の均し手段２２ａおよび成形プレス２４が順次設けられている。
コンベア１４は必ずしも間欠的に走行することに制限されないが、この実施の形態では成形に伴うタイムラグに対応させて間欠的に駆動する走行自在なコンベア１４が設けられ、一定の高さに均された成形原料１２を次工程である成形プレス２４側へ搬送できるようにされている。
【００３９】
コンベア１４上であって、コンベア１４の上流に予め接着剤が塗布された成形原料１２を誘導する底が開放されたホッパ１６が設けられている。
ホッパ１６の傍らに回転自在な板状体や熊手状体あるいは図２に示されるように成形原料１２の大きさに比較して小さなメッシュによる回転軸１８ｂを備えた網状体１８ａなどによる干渉手段１８がコンベア１４から一定の高さを保って該コンベア１４の幅方向に設けられている。
【００４０】
この干渉手段１８はホッパ１６を介して該コンベア１４上へその幅方向に供給される成形原料１２を掬うようして上流側へ舞い上げ、舞い上げることにより成形原料１２を散乱させて絡みをほぐしたり、比較的凹凸の激しい成形原料１２の塊を崩す役割をするものである。
【００４１】
さらに、この干渉手段１８はコンベア１４を図面上右方向換言すれば時計回り方向に回転させることにより、コンベア１４の走行と干渉手段１８の回転が相俟って、成形品の成形にとって過剰な成形原料１２を前工程側へ戻すことができ（図１を参照すると干渉手段１８、補助均し手段２０および均し手段２２ａのそれぞれの前工程側に図面上断面略山形をなして過剰分の成形原料１２が戻されている。）、併せて、該原料１２はコンベア１４の走行と干渉手段１８の回転に制御されることにより、成形品Ｗに必要な成形原料１２の量に不足を生じることなく次工程である補助均し手段２０に向けて搬送することができる。
【００４２】
成形原料１２は加熱成形される前に一般的には接着剤が塗布されるから、一層絡みやすいものである。
したがって、均す前に絡みをほぐしたり、凹凸の形態を崩す必要がある。
そこで、前記のように回転する干渉手段１８を成形原料１２に強制的に接触させ、関わりあいさせることにより、成形原料１２の凹凸は崩され、また、絡んだ成形原料１２をコンベア１４の上流側へ舞い上がらせてその絡みをほぐす作用を奏する。
そして、ほぐされた成形原料１２は追って説明する回転ブラシなどによる補助均し手段２０へ該コンベア１４の走行を介して搬送され予備的に均される。
【００４３】
該コンベア１４上であってその下流に該干渉手段１８から一定の間隔を隔てて好ましくは、回転自在な回転ブラシなどによる補助均し手段２０が該コンベア１４の幅方向に設けることが希望される。
この補助均し手段２０は、前工程の干渉部材１８によりほぐされたり、凹凸が崩された成形原料１２を一定の高さに予備的に均すものであるが、成形品Ｗの厚さに高いものが要求される場合、その成形原料１２の厚さは必然的に厚いものが要求されるが、厚い成形原料１２を均すのには、予備的に補助均し手段２０を介して均すことがよい。
【００４４】
ここに予備的に均すとは、後述する成形原料の上下方向の間隔制御機構を備えた均し手段２２ａ、２２ｂ、２２ｃによって正規に均すに先立って均すことであり、補助均し手段２０は成形原料１２の厚さが高い場合など必要に応じて採用されるもので、省略されることもある。
【００４５】
この補助均し手段２０は該干渉手段１８の制御により補助均し手段２０へ搬送された成形原料１２を前記したように予備的に均すものであることを説明したが、該干渉手段１８側から搬送されてくる成形原料１２の量は、成形品Ｗにとって過剰であることが普通である。
したがって、制御される回転方向やその過剰分を該コンベア１４の上流側に戻す機能などの詳細については省略したが、前記した干渉手段１８と共通である。
【００４６】
補助均し手段２０により予備的に一定の厚さに均された成形原料１２を加熱成形に備えて正規の高さに均すことを目的として、該コンベア１４上であってその下流に補助均し手段２０から一定の間隔を隔てて成形原料の均し手段２２ａ、２２ｂ、２２ｃが該コンベア１４の幅方向に設けられている。
【００４７】
成形原料の均し手段２２ａ、２２ｂ、２２ｃについて更に詳しく説明すると、図１の符号「２２ａ」によるものは、回転自在な回転ブラシである。
図３の符号「２２ｂ」によるものは、コンベア１４上に一定の間隔を保って固定的に垂設された板状の規制部材である。
図４の符号「２２ｃ」によるものは、コンベア１４上に一定の間隔を保って揺動自在に設けられた板状の規制部材である。
【００４８】
この成形原料の均し手段の規制部材２２ｃの揺動範囲は、次工程側へ過剰な成形原料１２を搬送させないようにするため好ましくは専ら前工程側の範囲において揺動させることがよい。
つまり、図示の実線と鎖線に示すように次工程側に向けて揺動しないように適宜規制することである。
【００４９】
これらの該均し手段２２ａ、２２ｂ、２２ｃの高さは成形プレス２４へ搬入される成形原料１２の高さαに等しく設定されている。
【００５０】
また、前記した干渉部材１８および補助均し手段２０の高低はそれぞれコンベア１４上へ供給される成形材料１２の供給量を規制し、成形品Ｗの高低に影響するから、上下方向の間隔制御機構を均し手段２２ａ、２２ｂ、２２ｃに設けることは好ましい。
【００５１】
帯状に搬送される成形原料１２の上下に被覆シート２６が供給されるが、成形品Ｗの原料１２が散乱し易いシュレッダによる裁断故紙であることに配慮し、散乱を防止するようにしている。
【００５２】
この発明は、主として紙、糸くずなどの産業廃棄物および一般廃棄物を問わず廃棄物を成形材料として採用することを挙げたが、専らこれらの成形材料に制約する趣旨ではなく、非廃棄物を成形材料として採用することも予定される。
【００５３】
この発明の実施の形態では、走行中のコンベア１４上に敷設され、コンベア１４の走行に追従して走行される被覆シート２６上に成形原料１２が供給され、該原料１２は被覆シート２６上に供給された状態で均しが行われる。
この場合、被覆シート２６上に供給された帯状の該原料１２の両側部分（被覆シート２６の走行方向に対して直角方向側）は、被覆シート２６の走行中に被覆シート２６上から脱落するが、この発明では、該原料１２の脱落を防止するため、規制片などを設けることなく、被覆シート２６の両側を積極的に開放することにより、被覆シート２６の両側から成形原料１２の一部を積極的に脱落するように図られている。
【００５４】
被覆シート２６の両側を積極的に開放することにより、成形原料１２の一部が脱落するものの、該原料１２の均し作業中に原料１２の一部や該原料１２から生じるいわゆる紙粉を被覆シート２６の下方へ侵入させないようにすることができる。
この実施の形態に係る発明では、被覆シート２６にとりわけ、薄い柔軟紙などが採用されることが一般的であるから、被覆シート２６が破損し易い。
しかし、前記のとおり該原料１２などが被覆シート２６の下方へ侵入しないから、走行中の被覆シート２６に負荷が及ぶことがないので、被覆シート２６の破損を防止できる利点を奏する。
【００５５】
被覆シート２６の両側から脱落する成形原料１２や紙粉を受けることを目的として、被覆シート２６の両側に沿わせて例えば図示を省略したが、樋状の受具を設けることも発明者は予定している。
さらに、いえば、樋状の受具は、該コンベア１４の下流側から上流側に向けて傾斜させることにより、受具に落下した成形原料１２を前記したホッパ１６側へ復帰させ易い利点もある。
なお、コンベア１４から離れて上方に導入される被覆シート２６上に成形原料１２が仮に侵入することをがあってもコンベア１４の走行による負荷は作用しないから、その侵入についてこの発明は言及しない。
【図面の簡単な説明】
【図１】この発明の実施の形態に係る成形原料の均し装置の側面図である。
【図２】この発明の実施の形態に係る成形原料の均し装置における干渉手段の他の例を示す斜視図である。
【図３】この発明の実施の形態に係る成形原料の均し装置における均し手段の他の例を示す要部の側面図である。
【図４】この発明の実施の形態に係る成形原料の均し装置における均し手段のさらに他の例を示す要部の側面図である。
【符号の説明】
１０  成形原料の均し装置
１２  裁断故紙による成形原料
１４  走行自在なコンベア
１６  ホッパ
１８  干渉手段
１８ａ  網状体による干渉手段
１８ｂ  網状体による干渉手段の回転軸
２０  補助均し手段
２２ａ  成形原料の均し手段
２２ｂ  成形原料の均し手段
２２ｃ  成形原料の均し手段
２４  成形プレス
２６  被覆シート
Ｗ  成形品
【図１】
2004174734.tif 000003
【図２】
2004174734.tif 000004
【図３】
2004174734.tif 000005
【図４】
2004174734.tif 000006